(57)【特許請求の範囲】
【請求項１】
就寝時に母親が使用する主体部と、授乳時に母親が使用するこの主体部の両側に設けた副体部とから成り、主体部、副体部ともに柔らかな素材の袋の内部に詰物を充填したもので、
主体部は首に当たる部分を高く、頭を載せる部分を低く作成し、副体部は詰物を主体部の詰物よりも硬い素材を使用するとともに、授乳時に母親の耳が当たる位置に乳児側に開放した音聴取部を設け、授乳時に母親が腕を上方向に伸ばせる空間を乳児側に開いて設けた
就寝時授乳用添寝枕
【請求項２】
主体部の頭を載せる部分に横長の凹部を形成し、副体部の音聴取部を伝音質チップを配した溝とし、母親の腕を伸ばせる空間を、傾斜面を作成して三角柱形状とした請求項１の就寝時授乳用添寝枕
【請求項３】
主体部の頭を載せる部分に横長の凹部を形成し、副体部の音聴取部を空洞部分とするとともに、母親の腕を伸ばせる空間を、傾斜面を作成して三角柱形状の空間とした請求項１の就寝時授乳用添寝枕
【請求項４】
主体部の頭を載せる部分に横長の凹部を形成し、副体部の音聴取部を伝音質チップを配した溝とし、母親の腕を伸ばせる空間を四角柱形状の空間とした請求項１の就寝時授乳用添寝枕
【請求項５】
主体部の頭を載せる部分に横長の凹部を形成し、副体部の音聴取部を空洞部分とし、母親の腕を伸ばせる空間を四角柱形状の空間とした請求項１の就寝時授乳用添寝枕
【発明の詳細な説明】
【技術分野】
【０００１】
本発明は、乳児に母乳で授乳しながら寝かしつける際、また授乳後に母親が就寝するのに適した就寝時授乳用添寝枕に関するものである。
【背景技術】
【０００２】
従来、夜間添い寝で母乳を授乳する母親は、子供が寝付くまでの間横向きの姿勢を保ちながら長時間授乳しなければならないが、一般的な枕では、高さが低いことから肩よりも頭が低く落ち込むことになり、また端部が概略直角形状となっていることから、授乳中に腕が乳児に当たらないようにするため、枕から頭部がずれ落ちることなどが生じて、首や腕また肩への負担が強く起り、ひどい肩こりや頸部を寝ちがえるなどして安眠ができない状態が起きていた。特に乳児は数時間おきに起きることからその世話をする必要があり、授乳期の母親の睡眠不足を増加させていた。また横向きで授乳するため乳児の発する些細な音が聞き取りにくく、乳児の睡眠・健康状態を把握しづらくなっていた。
【０００３】
以上のように授乳用の枕には、一般的な枕では対応できない特有の問題が内包されている。
そこで、授乳時に乳児を横抱きできるようにして母親の負担を減少させる乳児用の枕（特許文献１参照）が考案されたり、母親が横になって授乳するときに腕の疲労を緩和させるために、枕を構成する上下の台座を固定した支柱に、腕が当たらないようにさせることで、腕の疲労を緩和させる枕（特許文献２参照）などが知られている。
【先行技術文献】
【特許文献】
【０００４】
【特許文献１】実用新案登録第３１５５４９９号公報
【特許文献２】特開２００７−８３０００号公報
【発明の概要】
【発明が解決しようとする課題】
【０００５】
しかしながら前記特許文献１で示した枕は、授乳時に乳児を横抱きできる機能を付加させた乳児就寝用の枕であって、母親の負担軽減には寄与するものの、母親の授乳時と自身の就寝時との両方に有益な枕を提案する本発明とは直接的な関係が薄いものである。
【０００６】
また前記特許文献２で示した発明は、上下の板状台座に斜辺部を設けることで授乳時に乳児側の母親の腕が乳児の体に当たらないようにしたものであり、前記した授乳用の枕が保有する問題の一つに対応した発明である。
【０００７】
しかしこの発明で示された枕は、板状の２枚の台座（頭部台座と基礎台座）を複数もしくは単数の支柱で固定させ、頭部台座の上表面にクッション部を設けてなるものであって、母親の腕が直接接する支柱や台座が硬質な素材であって、授乳期の乳児を抱える敏感な時期にある母親には適切な枕とはいえないものである。またこの枕に近接して自由な動きを示す乳児がいることを考えると、硬質素材から構成される枕は乳児用の枕としては改良を要するものといえる。
【課題を解決するための手段】
【０００８】
そこで本発明は、就寝時に母親が使用する主体部と、授乳時に母親が使用するこの主体部の両側に設けた副体部とから成り、主体部、副体部ともに柔らかな素材の袋の内部に詰物を充填したもので、主体部は首に当たる部分を高く、頭を載せる部分を低く作成し、副体部は詰物を主体部の詰物よりも硬い素材を使用するとともに、授乳時に母親の耳が当たる位置に乳児側に開放した音聴取部を設け、授乳時に母親が腕を上方向に伸ばせる空間を乳児側に開いて設けた就寝時授乳用添寝枕を提案するものである。
【０００９】
すなわち本発明では、１個の枕を使用して母親が授乳時にも就寝するときにも使用可能であることを特色とし、中央の主体部では授乳終了後に頸椎を保護して安眠できる機能を有し、その両側の副体部では授乳時に乳児が発する些細な音を聞き取ることができる機能と、授乳に際して邪魔になる腕の置き場所を確保できる機能を有したものである。
【００１０】
先行技術として紹介した特許文献２には、板状の台座に斜辺部を形成して母親の腕が乳児の体にあたらないようにした技術という、本考案が有する機能のうちの一機能を意図するものが示されているが、前記したように本考案では詰物を充填した柔らかな素材の袋が外被として母親、乳児に接するものであり、支柱で指示した板状の台座という硬質素材が接するものとは明らかに異なり、前記機能の達成にも大きく相違が生ずるものである。
【００１１】
本発明は、具体的には以下のように構成することができる。第１に、主体部の頭を載せる部分に横長の凹部を形成し、副体部の音聴取部を伝音質チップを配した溝とし、母親の腕を伸ばせる空間を、傾斜面を作成して三角柱形状の空間としたことを特長としたものである。
【００１２】
また第２は、主体部の頭を載せる部分に横長の凹部を形成し、副体部の音聴取部を空洞部分とするとともに、母親の腕を伸ばせる空間を、傾斜面を作成して三角柱形状の空間としたことを特長としたものである。
【００１３】
さらに第３は、主体部の頭を載せる部分に横長の凹部を形成し、副体部の音聴取部を伝音質チップを配した溝とし、母親の腕を伸ばせる空間を四角柱形状の空間としたことを特徴としたものである。
【００１４】
また第４は、主体部の頭の頭を載せる部分に横長の凹部を形成し、副体部の音聴取部を空洞部分とし、母親の腕を伸ばせる空間を四角柱形状の空間としたことを特徴としたものである。
【発明の効果】
【００１５】
以上のように本発明は、一つの枕に授乳用と就寝用の二つの機能を持たせ、さらに授乳時には乳児の発する些細な音を聞き取れるようにした音聴取の機能と、授乳時に支障となる母親の腕を無理なく処理できる機能も待たせ、さらに母親が就寝するときには、頸椎を傷める恐れがなく安眠が出来る機能も果たすようにした優れた就寝時授乳用添寝枕を提案するものである。また本発明は、授乳する乳児が左右いずれにいても前記機能を有したまま授乳を可能にした就寝時授乳用添寝枕である。
【図面の簡単な説明】
【００１６】
【図１】本発明就寝時授乳用添寝枕の第１の実施形態を示し、（A）は平面図、（B）は（A）のA−A線断面図、（C）は（A）のB−B線断面図、（D）は（A）のC−C線断面図
【図２】本発明就寝時授乳用添寝枕の第２の実施形態を示し、（A）は平面図、（B）は（A）のA−A線断面図、（C）は（A）のB−B線断面図、（D）は（A）のC−C線断面図
【図３】本発明就寝時授乳用添寝枕の第３の実施形態を示し、（A）は平面図、（B）は（A）のA―A線断面図、(C)は（A）のB−B線断面図、（D）は（A）のC−C線断面図
【図４】本発明就寝時授乳用添寝枕の第４の実施形態を示し、（A）は平面図、（B）は（A）のA―A線断面図、（C）は（A）のB−B線断面図、（D）は（A）のC−C線断面図
【発明を実施するための形態】
【００１７】
本発明は、就寝時に母親が使用する主体部と、授乳時に母親が使用するこの主体部の両側に設けた副体部とから成り、主体部、副体部ともに柔らかな素材の袋の内部に詰物を充填したもので、主体部は首に当たる部分を高く、頭を載せる部分を低く作成し、副体部は詰物を主体部の詰物よりも硬い素材を使用するとともに、授乳時に母親の耳が当たる位置に乳児側に開放した音聴取部を設け、授乳時に母親が腕を上方向に伸ばせる空間を乳児側に開いて設けた就寝時授乳用添寝枕に係るものであり、乳児への授乳を支障なく行え、かつ母親自身の安らかな就寝も可能にした就寝時授乳用添寝枕を提案するものである。以下にその実施形態４例を図面に基づき説明する。
【００１８】
図１は第１の実施形態を示し、１は枕の中央に位置する主体部で、母親が授乳を終了して就寝するときに使用する。主体部１は内部に緩衝性の詰物４を充填した柔らかな素材から成る袋３により作成するが、袋３は、例えば木綿、絹、麻などの植物繊維や合成樹脂製の繊維から作成し、詰物４は、例えばそば殻、もみ殻、ぱんや、羽毛やプラスチック成形されたものを使用する。
【００１９】
また主体部１は、（B）で示したように就寝時に首があたる前部５を高く、その後方の頭を載せる中央部６を低く、またその後方の頭頂部が面する後部７を中央部６より高く作成する。したがって中央部６は頭を安定的に納める窪み形状となるが、その窪みの底部には袋３の該当箇所に形成した横長の凹部８が位置しており、頭を中央部６に置いたときこの凹部８が押し開かれることで、この窪みの形成が効率的に作成される。
【００２０】
そのため、母親が授乳を終えて就寝するときには、頭は一段低くなった枕中央部６に形成された窪みにおさまり、首は高く作成された前部５に支えられて頸椎を傷めることなく、安らかな睡眠を得ることができる。
【００２１】
主体部１の両側には副体部２を設け、授乳するときに、乳児のごく近くに母親が接近して横になりながら授乳を行えるようにしている。副体部２は、外被を主体部１と同じく柔らかな素材から作成した袋９に、主体部１の緩衝性詰物４より硬質の、例えば軟質プラスチックを成形したものなどから成る詰物１０を充填したものである。主体部１と副体部２とは、お互いの外被である袋３と袋９とを接して固着している。
【００２２】
そして、母親が授乳するときには乳児の方に顔を向けた横寝の状態になるため、（C）で示したように、副体部２の上下方向の高さ（厚さ）は主体部１の後部７とほぼ等しい高さで
作成し、詰物１０が主体部１よりも硬い素材から作られているため、母親の頭部は授乳している間安定した状態を保つことができる。
【００２３】
また副体部２の上部中央部で母親の耳が当たる位置には、授乳時に母親が乳児から発生される音を聴取できる音聴取部を作成する。この音聴取部は、袋９の裏側に、布もしくは軟質のプラスチック材のコ字形部材１３を使用して上側を開放させた音聴取機能の構成を作成することで達成できる。
【００２４】
図１で示したのは音聴取部として、軟質のプラスチック材で作成したコ字形部材１３を使用して、内部に伝音質チップ１２を有した、音聴取機能を持つ溝１１を作成した例を示したものである。（C）、(D)で示したように、このプラスチック材から成るコ字形部材１３は、副体部２の上部中央部の袋９の裏側に、柔軟性、弾力性を有するクッション材１４を介して、断面のコを上側に向け開放させた有底状態で固着する。コ字形部材１３は有底の状態となるため、そこには横長の溝１１が形成されるが、袋９に固着される前に、５ｍｍ前後のチューブを短筒状に切断した、伝音機能を持つプラスチック管から成る伝音質チップ１２を、多数その溝１１内に内蔵させておく。（上記した布で作成した音聴取機能の構成においても、この伝音質チップ１２を布で作成した上側開放の空間に内蔵させることで、コ字形部材１３の場合と同等の効果を奏することができる）
【００２５】
またコ字形部材１３は、（C）、（D）で示したようにそのコ字形の開放端、すなわち授乳時に母親の耳が当たる位置に、母親の違和感を生じさせないため、袋９との間に柔軟性、弾力性を持った素材から成る帯状のクッション材１４を介在させる。このクッション材１４は２本の帯状の状態でコ字形部材１３の上側開放端に固着して設けられる。
【００２６】
またコ字形部材１３の乳児側の端部には、乳児が動いてこの箇所にあたっても傷害を受けることがないように、袋９との間に柔軟性、弾力性を持った素材から成るクッション材１４を介在させる。このクッション材１４はコ字形部材１３のコ字形端面に一致させて、コ字状の形態に作成したもので、そのコ字形部材１３の端面に固着した後、袋９にコ字形部材１３とともに固着させて設ける。したがって、コ字形部材１３に形成した溝１１はクッション材１４にも連通して形成されており、乳児側からの音伝通、音聴取は支障なく行われる。
【００２７】
以上の構成から、母親は授乳時には横寝状態にあるため、その耳が薄い袋９を介して伝音質チップ１２を内蔵した溝１１に接していることから、幼児が発する些細な音まで母親は自然に聞き取ることができる。
【００２８】
またこの副体部２の、母親の首が授乳時に接する前側部分には、主体部１に当接する箇所から溝１１を形成する有底コ字形部材１３の乳児側近傍部位に亘って、内側から外側にかけて傾斜した傾斜面１５を作成する。この傾斜面１５は袋９を作成するときに形成される。そのため、この傾斜面１５により外側に開いた三角柱形状の空間１６が作成され、授乳時には母親はこの空間１６を利用して、その腕を乳児に触れないよう上方向に挙げることが可能となり、乳児は母親の腕に煩わされることなく母親に密着して母乳を飲むことができる。
【００２９】
この傾斜面１５は、柔らかな袋９に覆われ、内部の詰物１０も軟質プラスチック素材などの適正な硬度を有する素材から成るものであるため、母親の首、腕に接する感触は良好で、授乳に差し障りとなることはない。また自由に動く乳児がこの斜面部１５に触れることがあっても傷害を受けるということはない。
【００３０】
図２は就寝時授乳用添寝枕の第２の実施形態を示すもので、副体部２には音聴取部として図１で示した副体部２の溝１１を形成する有底コ字形部材１３や伝音質チップ１２のような介在物を設けず、２枚のプラスチック板で作成した隔壁１８を、副体部２の上下に亘って間隔をおいて設けることで、その間に空洞部分１７を形成させる。この空洞部分１７は大きな空間であることから乳児が発する音を的確に伝搬させ、母親の聴取能力を格段に上げることができる。
【００３１】
また隔壁１８の上端には帯状の柔軟性、弾力性を有する素材から成るクッション材１９を固着し、これを袋９に固着させることでクッション材１９が介在することになり、母親の顔や腕が当たっても刺激を受けないようにしている。これと同じく、隔壁１８の乳児側の端部にも、帯状の柔軟性、弾力性を持った素材から成るクッション材１９を固着して、これを袋９に固着することでクッション材１９が介在することになり、乳児が動いてこの箇所にあたっても、傷害を受けないようにしている。
【００３２】
図２においては、主体部１は図１と同じ構成であり、副体部２も授乳時に母親の頭を載せる部位の首側に設けた傾斜面１５およびこの傾斜面１５で作成した三角柱形状の空間１６も図１と同じ構成である。また図２における主体部１、副体部２ともに、袋３、９および詰物４，１０も図１と同じ素材を使用する。
【００３３】
図３は就寝時授乳用添寝枕の第３の実施形態を示すもので、副体部２の端に、図１、図２で示した傾斜面１５により形成する三角柱形状の空間１６とは異なり、断面L字形の部材２１を立設して設けた四角柱形状の空間２０を作成する。L字形部材２１の上端には、袋９との間に柔軟性、弾力性を有する素材から成るクッション材２２を介することで、母親の顔や腕に対する刺激を防止する働きをさせている。このクッション材２２はL字形部材２１の形状と一致させた帯状のL字形状とし、L字形部材２１の上端に固着する。
【００３４】
またL字形部材２１の乳児側の面と袋９との間にも、柔軟性、弾力性を有する素材から成るクッション材２２を介在させて、乳児が動いてこの箇所にあたっても、傷害を受けないようにしている。このクッション材２２もL字形部材２１の、L字形状の外側（乳児側に面する側）に合わせた大きさで作成し、L字形部材２１の外側の面を覆った状態でL字形部材２１に固着する。
【００３５】
すなわち、L字形部材２１を設けることで、母親が授乳するとき頭を載せる副体部２の、首が当たる部位を残して乳児側の一部に四角柱形状の空間２０が形成されることで、母親はその腕を乳児の頭に触れないように上方向に挙げることができる。
【００３６】
図３において、主体部１は図１、図２と同じ構成であり、副体部２も、有底コ字形部材１３で形成した溝１１に伝音質チップ１２を内蔵した音聴取部を、クッション材１４を介して設けていることは図１と同じ構成である。また図３における主体部１、副体部２の袋３，９と詰物４，１０は、図１、図２における主体部１、副体部２と同じ素材を使用する。
【００３７】
図４は就寝時授乳用添寝枕の第４の実施形態を示すもので、図３で示した第３の実施形態とは、副体部２の端に、クッション材２２を介して袋９に固着したL字形部材２１を使用して四角柱形状の空間２０を形成することは同じで、音聴取部が異なるものである。
この音聴取部は、第４の実施形態では、副体部２に、図２で示したものと同じく、クッション材１９を介して袋９に固着する隔壁１８で作成した空洞部分１７を設けることで、伝音質チップ１２封入の溝１１を使用した第３の実施形態よりも、音の聴取能力を高くしたものである。
【００３８】
なお上記で説明した、クッション材１４、１９、２２はいずれも、たとえばゴム系、スポンジ系あるいは軟質性プラスチック、その他の柔軟性、弾力性を有する素材から選択して使用するものである。また副体部２は主体部１の両側に設けられているため、授乳する乳児がいる側の副体部２を利用すれば良い。乳児がいずれの側にいても本発明は使用可能なものである。
【符号の説明】
【００３９】
１  主体部
２  副体部
３  袋
４  詰物
５  前部
６  中央部
７  後部
８  凹部
９  袋
１０  詰物
１１  溝
１２  伝音質チップ
１３  コ字形部材
１４  クッション材
１５  傾斜面
１６  三角柱形状の空間
１７  空洞部分
１８  隔壁
１９  クッション材
２０  四角柱形状の空間
２１  L字形部材
２２  クッション材
【図１】
0005392586.tif 000002
【図２】
0005392586.tif 000003
【図３】
0005392586.tif 000004
【図４】
0005392586.tif 000005